(57)【要約】【課題】スリーブ継手が上方に鉄筋の挿入口が開口する場合でも、確実に継手することができる継手構造を提供する。【解決手段】スリーブ継手２３の鉄筋挿入口２４に上方から鉄筋４２を差込み、グラウト注入口３５よりグラウトを注入することにより鉄筋挿入口２４よりグラウトを流し込み、グラウトに振動を加える。グラウトに振動を加える際には、スリーブ継手２３の側面に設けられたグラウト注入口に小径の振動装置５４を差込み、振動装置５４によりスリーブ継手２３内のグラウトに振動を加えるとよい。【選択図】図７
2007239240.tif 000002
【特許請求の範囲】
【請求項１】
鉄筋を差し込むための鉄筋挿入口が上方に向かって開口するように設けられたスリーブ継手を用いた鉄筋の継手方法であって、
前記スリーブ継手の挿入口に上方から鉄筋を差込み、
前記鉄筋挿入口よりグラウトを注入し、
注入したグラウトに振動を加えることを特徴とする鉄筋の継手方法。
【請求項２】
請求項１記載の鉄筋の継手方法であって、
前記スリーブ継手の側面に設けられた孔に小径のバイブレータを差込み、
前記バイブレータによりスリーブ継手内のグラウトに振動を加えることを特徴とする鉄筋の継手方法。
【請求項３】
請求項１記載の鉄筋の継手方法であって、
前記鉄筋はコンクリート部材と一体に形成されており、
バイブレータにより前記コンクリート部材に振動を加え、
前記コンクリート部材に加えられた振動を前記鉄筋を介して前記グラウトに伝達させることにより、前記グラウトに振動を加えることを特徴とする鉄筋の継手方法。
【請求項４】
請求項１記載の鉄筋の継手方法であって、
前記スリーブ継手内に振動伝達部材の一端を差込み、
前記振動伝達部材の他端にバイブレータにより振動を加え、
この振動を前記振動伝達部材を介して前記グラウトに伝達させることにより、前記グラウトに振動を加えることを特徴とする鉄筋の継手方法。
【請求項５】
請求項１から４何れかの鉄筋の継手方法によりＰＣ部材同士の鉄筋を継手することを特徴とするＰＣ部材の接合構造。
【発明の詳細な説明】
【技術分野】
【０００１】
本発明は、鉄筋の継手方法に関し、特に、鉄筋の挿入口が上方に開口するようにプレキャスト部材に埋設されたスリーブ継手を用いた鉄筋の継手方法に関する。
【背景技術】
【０００２】
従来より、施工期間短縮のため、プレキャストコンクリート（以下、ＰＣという）部材を用いて、柱梁構造を構築する工法が用いられている。非特許文献１には、このようなＰＣ部材を用いた柱梁構造の構築方法として、図１０に示すように、仕口部材及び梁部材が一体成形され、柱主筋に相当する位置にシース管３２が埋設されたＰＣ梁・仕口部材３０と、スリーブ継手２３が柱頭部に露出するように設けられた下方のＰＣ柱部材２０と、下面に柱主筋４２が突出した上方のＰＣ柱部材４０と、により構成されるＲＣの柱梁構造１０の構築方法が記載されている。この方法では、柱梁構造１０は、既に建て込まれている下方のＰＣ柱部材２０の上方に、ＰＣ梁・仕口部材３０を建込み、さらに、上方のＰＣ柱部材４０を、柱主筋４２がＰＣ梁・仕口部材３０のシース管３２を貫通し、先端が下方のＰＣ柱部材のスリーブ継手２３に挿入されるように建込むことにより構築される。
【０００３】
上記の工法では、鉄筋挿入口が上向きに開口したスリーブ継手により鉄筋を連結することになり、その際、スリーブ継手内にグラウトが充填されることにより応力の伝達が可能になる。このように鉄筋挿入口が上方に向かって開口するスリーブ継手にグラウトを充填する方法として、非特許文献２に記載されるプレグラウト方式が一般的に用いられている。
【非特許文献１】杉本  浩一、森岡  徹、江村  勝、服部  瑞穂、“施工信頼性と品質向上を目指した超高層集合住宅のＰＣａＲＣ造新仕口構工法”、コンクリート工学  ＶＯＬ．４２  ＮＯ．９、（社）日本コンクリート工学協会、２００４年９月１日
【非特許文献２】東京鐵鋼株式会社、“トップスジョイント”ｐｐ．１３−１４
【発明の開示】
【発明が解決しようとする課題】
【０００４】
しかし、プレグラウト方式を非特許文献１記載の工法に用いる場合には、グラウトが硬化するまでに、上方のＰＣ柱部材を建て込んで鉄筋を挿入しなければならず、建て込みの時間的制約が大きくなってしまう。このため、スリーブ継手内に鉄筋を挿入した後に、グラウトを注入する方法が望まれる。しかし、グラウトを継手上部の鉄筋挿入口から注入するとグラウト内に空気が混じるため、棒材などで攪拌して空気を抜くことが必要となるが、上方のＰＣ柱部材が建て込まれてしまうと、この部材が障害となるため、グラウト内の空気を抜く作業を行うことは難しい。
そこで、グラウトへの空気の混入を防止するため、スリーブ継手下方側部の注入口からグラウトを注入する方法が考えられる。しかし、この場合、グラウトがスリーブ継手上部の鉄筋挿入口から溢れたことをもって充填が完了したことを確認する必要があるため、溢れ出したグラウトが他のスリーブ継手の上部の鉄筋挿入口から流入して、空気が混入するおそれがある。
【０００５】
本発明は、上記の問題点に鑑みなされたものであり、スリーブ継手の上部の鉄筋挿入孔からグラウトを注入しながら、このグラウトに混入した空気を効果的に除去できるようにすることを目的とする。
【課題を解決するための手段】
【０００６】
本発明の鉄筋の継手方法は、鉄筋を差し込むための鉄筋挿入口が上方に向かって開口するように設けられたスリーブ継手を用いた鉄筋の継手方法であって、前記スリーブ継手の挿入口に上方から鉄筋を差込み、前記鉄筋挿入口よりグラウトを注入し、注入したグラウトに振動を加えることを特徴とする。
【０００７】
上記の継手方法によれば、スリーブ継手内のグラウトに振動を加えることにより、グラウト内に混入した空気を除去することができ、確実に継手構造を形成することができる。また、プレグラウト方式のように、グラウトが硬化するまでに上方のＰＣ柱部材の建込みを行うという時間的な制約がなくなる。
【０００８】
ここで、上記の継手方法において、前記スリーブ継手の側面に設けられた孔に小径のバイブレータを差込み、前記バイブレータによりスリーブ継手内のグラウトに振動を加えてもよい。
【０００９】
また、前記鉄筋はコンクリート部材と一体に形成されており、バイブレータにより前記コンクリート部材に振動を加え、前記コンクリート部材に加えられた振動を前記鉄筋を介して前記グラウトに伝達させることにより、前記グラウトに振動を加えてもよい。
【００１０】
また、前記スリーブ継手内に振動伝達部材の一端を差込み、前記振動伝達部材の他端にバイブレータにより振動を加え、この振動を前記振動伝達部材を介して前記グラウトに伝達させることにより、前記グラウトに振動を加えてもよい。
【００１１】
これらの方法によれば、スリーブ継手をＰＣ部材の柱主筋の接続に用いる場合など、スリーブ継手上部にＰＣ部材が建て込まれていても、スリーブ継手内のグラウトに振動を加えることができる。
【００１２】
また、本発明のＰＣ部材の接合構造は、鉄筋の継手方法によりＰＣ部材同士の鉄筋を継手することを特徴とする。
【発明の効果】
【００１３】
本発明によれば、スリーブ継手内のグラウトに振動を加えることにより、グラウト内に混入した空気を除去することができ、確実に継手構造を形成することができる。また、プレグラウト方式のように、グラウトが硬化するまでに上方のＰＣ柱部材の建込みを行わなければならないという時間的な制約がなくなる。
【発明を実施するための最良の形態】
【００１４】
本発明の鉄筋の継手方法の一実施形態を図面を参照しながら説明する。まず、本実施形態の継手方法の適用対象となるＰＣ部材により構成された柱梁構造について説明する。
図１は、本実施形態の継手方法の適用対象の柱梁構造１０の構成を説明するための図である。同図に示すように、柱梁構造１０は、上方のＰＣ柱部材４０と、ＰＣ梁・仕口部材３０と、下方のＰＣ柱部材２０とで構成される。
下方のＰＣ柱部材２０は、その内部を上下方向に延びるように埋設された柱主筋２２と、柱主筋２２の上端に接続され、部材上面に鉄筋挿入口が開口するように設けられたスリーブ継手２３とを備える。
ＰＣ梁・仕口部材３０は、仕口部分３３と、梁部分３４とが一体成形されたＰＣ部材であり、柱主筋に相当する位置に埋設されたシース管３２を備える。
また、上方のＰＣ柱部材４０は、その内部を上下方向に延びるように設けられ、下端が部材下面から突出する柱主筋４２を備える。柱主筋４２は、柱梁構造１０を構築した際にＰＣ梁・仕口部材３０の仕口部分３３を貫通して、下方のＰＣ柱部材２０の上面に露出するスリーブ継手２３に挿入されるような長さを有する。
【００１５】
このような柱梁構造１０は以下のようにして構築される。
まず、下方のＰＣ柱部材２０の上方にＰＣ梁・仕口部材３０を建て込む。これにより、ＰＣ梁・仕口部材３０のシース管３２と、下方のＰＣ柱部材２０のスリーブ継手２３は一軸上に並ぶ。
【００１６】
次に、図２に示すように、上方のＰＣ柱部材４０を、上方のＰＣ柱部材４０の柱主筋４２がＰＣ梁・仕口部材３０のシース管３２を貫通して、その先端が下方のＰＣ柱部材２０のスリーブ継手２３内に挿入されるように、ＰＣ梁・仕口部材３０の上部に建て込む。
【００１７】
次に、上方のＰＣ柱部材４０とＰＣ梁・仕口部材３０の間の目地（以下、上方の目地という）５１と、下方のＰＣ柱部材２０とＰＣ梁・仕口部材３０の間の目地（以下、下方の目地という）５０と、シース管３２内の空隙と、スリーブ継手２３の内部にグラウトを充填する。このグラウトが硬化することにより、上方のＰＣ柱部材４０と、下方のＰＣ柱部材２０と、ＰＣ梁・仕口部材３０とは一体となり、柱梁構造１０が構築される。
【００１８】
ここで、発明が解決しようとする課題の欄において説明したように、スリーブ継手２３にグラウトを充填する際に、一般的に用いられているプレグラウト方式を用いると、スリーブ継手の上部の鉄筋挿入孔から注入したグラウトに空気が混入してしまうが、建て込まれたＰＣ梁・仕口部材３０が障害となって、このグラウトに混入した空気を除去する作業を行うことができない。
【００１９】
そこで、本実施形態の鉄筋の継手方法は、このように上方に向けて鉄筋の挿入口が開口するように設けられたスリーブ継手を用いて継手構造を構築する場合に、予め、スリーブ継手内に鉄筋を挿入しておき、後から、スリーブ継手の鉄筋の挿入口よりグラウトを充填し、振動を加えることを特徴とする。
【００２０】
以下、本実施形態の鉄筋の継手方法を、上記説明したＰＣ部材を用いて柱梁構造の構築する場合を一例として説明する。なお、本実施形態の鉄筋の継手方法を適用する場合には、予め、図３に示すように、ＰＣ梁・仕口部材３０に部材側面から部材下面まで延びるようにグラウト注入孔３５を設けておくとよい。
【００２１】
まず、上述のようにして、下方のＰＣ柱部材２０の上部に、ＰＣ梁・仕口部材３０を建て込み、さらに、ＰＣ梁・仕口部材３０の上部に、上方のＰＣ柱部材４０を建て込むことにより、上方のＰＣ柱部材４０の柱主筋４２をＰＣ梁・仕口部材３０に埋設されたシース管３２に貫通させ、その先端をスリーブ継手２３内に挿入させる。
次に、図４に示すように、下方の目地５０を囲むように、高強度モルタルなどのシール部材５２を用いてシーリングを行う。
次に、ＰＣ梁・仕口部材３０に設けられたグラウト注入孔３５より、グラウトを圧入する。グラウト注入孔３５より圧入されたグラウトは下方の目地５０を介して鉄筋挿入口２４よりスリーブ継手２３内に流れ込む。なお、本実施形態では、グラウト注入孔３５よりグラウトを圧入するものとしたが、下方の目地５０の側方から直接グラウトを注入してもよい。
【００２２】
次に、スリーブ継手２３内のグラウトに振動を加えることにより、グラウトに混入した空気を除去する。グラウトに振動を加えてグラウトから空気を除去する方法として、例えば、以下のような方法を用いることができる。
【００２３】
＝＝＝その１＝＝＝
図５は、本実施形態のグラウトの空気の除去方法（その１）を説明するための図である。
同図に示すように、ＰＣ梁・仕口部材３０及び上方のＰＣ柱部材４０を建て込む前に、一端がスリーブ継手２３内に差し込まれ、他端が下方の目地５０から側方に突出するように、Ｌ型に成形された細い鉄筋などの振動を伝達できる剛性を有する振動伝達部材５３を挿入しておく。そして、上記のようにＰＣ梁・仕口部材３０及び上方のＰＣ柱部材４０を建て込み、スリーブ継手２３にグラウト１５を注入した後、振動伝達部材５３の他端に振動装置（バイブレータ）５４を接続する。そして、振動装置５４により振動伝達部材５３に振動を加える。これにより、振動装置５４の振動が振動伝達部材５３を介してグラウト１５に伝達されることで、グラウト１５内の空気を除去することができる。
【００２４】
＝＝＝その２＝＝＝
図６は、本実施形態のグラウトの空気の除去方法（その２）を説明するための図である。
同図に示すように、ＰＣ梁・仕口部材３０及び上方のＰＣ柱部材４０を建込み、スリーブ継手２３にグラウト１５を注入した後、上方のＰＣ柱部材４０を構成するコンクリート部材４１の側面に強力なバイブレータ５５を当接させる。そして、バイブレータ５５により、上方のＰＣ柱部材４０に振動を加える。上方のＰＣ柱部材４０の柱主筋４２は、上方のＰＣ柱部材４０と一体に形成され、その下端が下方のＰＣ柱部材２０のスリーブ継手２３に挿入されているので、上方のＰＣ柱部材４０に加えられた振動は、柱主筋４２を介してスリーブ継手２３内のグラウト１５に伝達される。これにより、スリーブ継手２３内の空気を除去することができる。
【００２５】
＝＝＝その３＝＝＝
図７は、本実施形態のグラウトの空気の除去方法（その３）を説明するための図である。
同図に示すように、ＰＣ梁・仕口部材３０及び上方のＰＣ柱部材４０を建込み、スリーブ継手２３にグラウト１５を注入した後、スリーブ継手２３の側面下部に設けられたグラウト注入孔２５に、排出口２６から振動装置（バイブレータ）５４の振動部を挿入する。なお、排出口２６は、スリーブ継手２３にグラウト１５を注入する際の、内部の水抜きやグラウト充填時の空気抜きなどのために、スリーブ継手２３のグラウト注入孔２５を部材表面に開放するべく形成されている。グラウト注入孔２５より挿入した振動装置５４の振動部を振動させることにより、グラウト１５に振動を加えることができ、これにより、グラウト１５に含まれる空気を除去することができる。
【００２６】
以上説明したように、本実施形態の鉄筋の継手方法によれば、スリーブ継手内のグラウト内に混入した空気を除去することができるため、スリーブ継手による接合強度を確保することができる。また、プレグラウト方式のように、グラウトが硬化するまでに上方のＰＣ柱部材の建込みを行うという時間的な制約がなくなる。
【００２７】
さらに、本実施形態の鉄筋の継手方法を用いれば、スリーブ継手２３へのグラウト１５の充填をＰＣ梁・仕口部材３０及び上方のＰＣ柱部材４０の建込み後に行うことができる。これにより、スリーブ継手２３と、下方の目地５０と、シース管３２と、上方の目地５１とに連続してグラウト１５を充填することが可能になる。以下に、その施工手順を説明する。
【００２８】
まず、上記説明したように、下方のＰＣ柱部材２０の上方にＰＣ梁・仕口部材３０及び上方のＰＣ柱部材４０を建て込んだ後、上方の目地５１及び下方の目地５０の周囲をシール部材５２でシーリングする。
【００２９】
次に、ＰＣ梁・仕口部材３０に設けたグラウト注入孔３５にグラウト１５を圧入する。グラウト注入孔３５より圧入されたグラウト１５は、下方の目地５０に流れ出し、下方のＰＣ柱部材２０の上面に露出するように設けられたスリーブ継手２３の鉄筋挿入口２４よりスリーブ継手２３内に流れ込む。このように、グラウト１５の注入を続けることにより、スリーブ継手２３内がグラウト１５で充填することができる。さらに、グラウト１５を注入し続けると、図８に示すように、全てのスリーブ継手２３の内部にグラウト１５が充填された後、連続して下方の目地５０にグラウト１５が充填することができる。
また、さらに下方の目地５０にグラウト１５が充填された後もグラウト１５の圧入を続けると、図９に示すように、シース管３２及び上方の目地５１にも連続してグラウト１５が充填することができる。グラウト１５の充填後、上記説明した何れかの方法により、スリーブ継手２３内のグラウト１５に振動を加えて、混入した空気の除去を行う。注入したグラウトが硬化することにより、ＰＣ部材の接合構造が構築される。
【００３０】
このように、本実施形態のグラウト充填方法を用いることにより、スリーブ継手２３と、下方の目地５０と、シース管３２と、上方の目地５１とに連続してグラウトを充填することができる。これにより、施工期間を短縮することができる。
【００３１】
以上、説明したように、本実施形態のグラウトの充填方法によれば、スリーブ継手２３のグラウトに振動を与えることでグラウト内の空気を除去することが可能になる。これにより、下方のＰＣ柱部材２０及び上方のＰＣ柱部材４０の柱主筋２２，４２を確実に継手することができる。また、スリーブ継手２３と、下方の目地５０と、シース管３２と、上方の目地５１とにも連続してグラウトを充填することができ、施工期間を短縮することができる。
なお、本実施形態のＰＣ部材の接合方法の対象となるのは、上記説明した、下方のＰＣ柱部材と、ＰＣ梁・仕口部材と、上方のＰＣ柱部材とを接続する場合に限られない。例えば、上面に鉄筋の挿入口が開口するように設けられたスリーブ継手を備える下方のＰＣ部材と、下面に突出するように鉄筋が設けられた下方のＰＣ部材とを接合する場合（つまり、上記実施形態で下方のＰＣ柱部材２０と、上方のＰＣ柱部材４０とをＰＣ梁・仕口部材３０を介さず直接接合するような場合）でも、本実施形態の鉄筋の継手方法を用いることにより、継手が不完全になることを防止できる。
【図面の簡単な説明】
【００３２】
【図１】本実施形態の継手方法の用いられるＰＣ柱梁構造の構成を説明するための図である。
【図２】ＰＣ部材の建込みが終了した状態を示す図である。
【図３】グラウトの注入口の設けられたＰＣ梁・仕口部材を示す図である。
【図４】目地の周囲を囲むようにシーリングしたＰＣ梁・仕口部材を示す図である。
【図５】グラウトより混入空気を除去する方法（その１）を説明するための図である。
【図６】グラウトより混入空気を除去する方法（その２）を説明するための図である。
【図７】グラウトより混入空気を除去する方法（その３）を説明するための図である。
【図８】スリーブ継手と、下方の目地と、シース管と、上方の目地に連続してグラウトを充填する方法を説明するための図（その１）である。
【図９】スリーブ継手と、下方の目地と、シース管と、上方の目地に連続してグラウトを充填する方法を説明するための図（その２）である。
【図１０】ＰＣ部材を用いて柱梁構造を構築する方法を説明するための図である。
【符号の説明】
【００３３】
１０  柱梁構造
１５  グラウト
２０  下方のＰＣ柱部材
２２  柱主筋
２３  スリーブ継手
２４  鉄筋挿入口
２５  グラウト注入孔
２６  排出口
３０  ＰＣ梁・仕口部材
３２  シース管
３３  仕口部分
３４  梁部分
３５  グラウト注入孔
４０  上方のＰＣ柱部材
４１  コンクリート部材
４２  柱主筋
５０  下方の目地
５１  上方の目地
５２  シール部材
５３  振動伝達部材
５４  振動装置
５５  バイブレータ
【図１】
2007239240.tif 000003
【図２】
2007239240.tif 000004
【図３】
2007239240.tif 000005
【図４】
2007239240.tif 000006
【図５】
2007239240.tif 000007
【図６】
2007239240.tif 000008
【図７】
2007239240.tif 000009
【図８】
2007239240.tif 000010
【図９】
2007239240.tif 000011
【図１０】
2007239240.tif 000012